(57)【要約】【課題】  動物の逃避行動に逆らわずに雄耳標が移動できるようにするために雄耳標移動に要する力を小さくして柔らかい耳へ対応する技術と、耳の表面が硬い動物でも雄耳標の先端が滑らない技術の相反する両方の問題を同時に解決する。【解決手段】  雄耳標１を取り付ける雄耳標セット部３１を有する雄耳標取付部２１と、雌耳標２を取り付ける雌耳標セット部１１を有する雌耳標取付部１０を備え、雄耳標取付部２１と雌耳標取付部１０とが離れる方向に付勢された力に抗して近づくことにより動物用耳標ＥＴを被耳標装着動物の耳Ｅに装着する動物用耳標装着器Ｔであって、雄耳標セット部３１を被耳標装着動物の逃避方向に移動可能にするとともに、雄耳標１を被耳標装着動物の耳Ｅを貫通させて雌耳標２に嵌め込むための力が作用した時に雄耳標セット部３１が被耳標装着動物の逃避方向に移動不可となるようにロックする構成にした。【選択図】図２
2020078286.tif 000002
【特許請求の範囲】
【請求項１】
雄耳標とこの雄耳標を嵌め込む雌耳標とで一対とした動物用耳標の装着器のうち、前記雄耳標を取り付ける雄耳標セット部を有する雄耳標取付部と前記雌耳標を取り付ける雌耳標セット部を有する雌耳標取付部を備え、前記雄耳標取付部と前記雌耳標取付部とが離れる方向に付勢された力に抗して近づくことにより前記動物用耳標を被耳標装着動物の耳に装着する動物用耳標装着器であって、前記雄耳標セット部を前記被耳標装着動物の逃避方向に移動可能にするとともに、前記雄耳標を前記被耳標装着動物の耳を貫通させて前記雌耳標に嵌め込むための力が作用した時に前記雄耳標セット部が前記被耳標装着動物の逃避方向に移動不可となるようにロックする構成にしたことを特徴とする動物用耳標装着器。
【請求項２】
前記雄耳標セット部を、前記被耳標装着動物の逃避方向に回動自在にした取付基部と該取付基部に固定する雄耳標支えピンとで基本構成し、前記取付基部を、前記雄耳標を前記被耳標装着動物の耳を貫通させて前記雌耳標に嵌め込む方向と反対方向に常時付勢させ、加えて、前記取付基部を前記雄耳標支えピンの軸方向へスライド可能にする一方、前記取付基部の前記回動を規制できる位置の該取付基部に前記回動規制用の係止部の一部を設け、更に、該係止部と対向する前記雄耳標取付部に前記係止部の残部を設けたことを特徴とする請求項１記載の動物用耳標装着器。
【請求項３】
前記雄耳標セット部を、前記雄耳標を前記被耳標装着動物の耳を貫通させて前記雌耳標に嵌め込むための力が作用した時にはロック状態で回動せず、それ以外の時には前記被耳標装着動物の逃避方向にスライド後回動できるようにした取付基部と，前記取付基部に固定する雄耳標支えピンとで基本構成したことを特徴とする請求項１記載の動物用耳標装着器。
【請求項４】
前記回動規制用の係止部を、前記取付基部の回動中心から偏芯させた前記雄耳標取付部にストッパを設けこのストッパと前記被耳標装着動物の逃避方向で係脱するフック部を前記ストッパと対向する位置の前記取付基部に設ける構成にしたことを特徴とする請求項２記載の動物用耳標装着器。
【請求項５】
前記取付基部の回転中心位置に軸を固着し、前記軸の端部にこの軸の外周面の一部をこの軸外周面から突出しないように平滑化した回転規制部を形成する一方、前記雄耳標セット部を配置する位置の前記雄耳標取付部に前記軸の前記回転規制部を懸架する回転規制受部を、前記被耳標装着動物の逃避方向に長穴状にして形成するとともに、前記回転規制受部の前記被耳標装着動物の逃避方向端付近の形状を前記軸が回転できる形状とし、その他の前記回転規制受部の形状を前記回転規制部の最小寸法が嵌合する程度の形状にして前記軸が回転できないようにしたことを特徴とする請求項３記載の動物用耳標装着器。
【発明の詳細な説明】
【技術分野】
【０００１】  本発明は、動物等の個体識別に主に使用する耳標を装着する動物用耳標装着器に関し、詳しくは、動物の耳に耳標を装着する際に動物が逃避行動を起こしても動物の耳裂け等を防止しながら確実に耳標を装着できるようにした動物用耳標装着器に関する。
【背景技術】
【０００２】  畜産動物、例えば、牛の個体識別用として全国の各農家等に配付している現在の耳標は、当該耳標を装着するための器具を必要とする。
上記器具、すなわち耳標装着器の一部にはピストル型のものもあるが、その多くは支点を備えたプライヤー型の形状を有し、支点の先端側の雄耳標をセットする雄耳標取付部と雌耳標をセットする雌耳標取付部の内、雄耳標取付部に雌耳標側に向かって雄耳標支えピンが設けられていて、この雄耳標支えピンに雄耳標を挿し込んだ状態で、支点の後方を握ることによって雄耳標が動物の耳を貫通して雌耳標取付部にセットした雌耳標と係合させる。
この時、動物は逃避行動を起こすが、熟練した耳標装着作業者の場合は、動物の逃避行動に合わせて耳標装着器を動かしながら耳標の装着作業を行うので、耳標を装着する動物の耳への影響は少ないが、時には、熟練者であっても動物の動きに耳標装着器の動きが合わなくなって、耳標の打ち損じや耳標を装着できたとしても雄耳標によって開けられた動物の耳の穴が大きくなったり、あるいは耳裂けが起こることがある。ましてや耳標装着作業者が未熟の場合はその頻度が高くなることが多い。これは、耳標装着後の耳標の脱落に繋がる危険をはらんでいることを物語っている。
この問題を解決するため、一部の耳標装着器には、打ち終わった雄耳標支えピンを急速に戻す機構を採用したものや、あるいは雄耳標支えピンを動物の逃避方向に逃がすことにより動物の耳の穴が大きくなったり、あるいは耳裂けを起こすのを防止するとした技術が開示されている。
【先行技術文献】
【特許文献】
【０００３】
【特許文献１】特表２００１−５０５０５２号公報
【特許文献２】特表２０１３−５１７７９４号公報
【０００４】  「特許文献１」に記載されている技術には、上述したように、打ち終わった雄耳標支えピンを急速に戻す機構を採用したものや、あるいは雄耳標支えピンを動物の逃避方向に逃がす機構が開示されている。
具体的には、第１と第２のあご部及び各あご部を互いに引き寄せる方向に動かす第１と第２のハンドル部をピポット軸を中心に回動させることを基本とし、そのうちの第１のあご部と第１のハンドル部を釈放構造により連結し、耳標を牛耳等に打ち込んだ瞬間に第１のあご部が瞬時に戻る構造の耳標装着器（公報には「耳標取り付け具」と記載）の技術であるが、その中に、「長いピンが装着ブロックに装着されており、該ブロックは、それ自体ピボット連結部によりピボット回動可能に第１のあご部２に装着されている。長いピンは、第１のあご部から外方へ回動することができるようになっている。
長いピンに力がかかると、該ピンは、装着ブロックのピボット軸とリップとにより支持される。リップは、第１のあご部に係合し、前記二つのピースの耳標を共に動かす位置から長いピンが反対（動物の逃避方向と反対側）に回動しないようにする。
装着ブロックには、カム面が設けられており、このカム面は、弾性部材に抗して作用し、装着ブロックをさらに安定させる。しかしながら、長いピンを外方へ回動させようとする外側への力（動物の逃避方向）が作用すると、前記面は、弾性部材に抗して動き、そのような外方向への回動を許す。」旨の記載がある。【０００５】  「特許文献２」には、「特許文献１」の技術を改良した技術が開示されている。
この技術は、「特許文献１」の釈放構造に代えてリンク機構による早戻し機構に関するものであって、前記長いピンの動物の逃避方向への逃がし機構は、「特許文献１」と同じである。
【発明の開示】
【発明が解決しようとする課題】
【０００６】  「特許文献１」及び「特許文献２」に開示されている先行技術は共に、雄耳標を支える長いピンが、通常は動物の逃避方向へ弾性部材により回動を規制されているが、動物の逃避方向への回動規制力の限界に達した時に、長いピンの回動規制が解除されるようになっている（一種のトルクリミッタ）ので、次のような問題が生じる。
（１）動物の耳の表面は、生後間もなくは柔らかく、年齢を重ねるごとに硬くなり、耳が裂けるに要する力は動物の成長過程により異なるので、耳標装着時に耳が裂けないようにするためには、生後間もない柔らかな耳を基準にしなければならないこと。
（２）動物の殆どは、耳に耳標を装着する際嫌がり首を振るので、耳があらゆる方向に動くことから、耳の表面が硬くなればなるほど耳に挿し込む雄耳標の先端が耳の表面を滑るので雄耳標を支えるピンの回動を防止しなければならないこと。
換言すれば、雄耳標を支えるピンは、回動に要する力を小さくして柔らかい耳に対応しようとすれば、激しく動く耳の表面に雄耳標の先端が当たった瞬間に滑って雄耳標を支えるピンが回動して正確な耳標の打ち込みができない問題が生じ、逆に雄耳標を支えるピンの回動に要する力を大きくして硬い耳の表面を雄耳標の先端が滑らないようにすれば、耳の柔らかい生後間もない動物は耳裂けを起こす等の問題を生じる等、両方の問題を解決することができないため、前述の先行技術では、動物が逃避行動を起こす前に雄耳標を支えるピンを雄耳標から急速に抜いて耳裂けに至らないような工夫（急速早戻し機構等）が必要であった。
加えて、前記急速早戻し機構は、ばね等の強さによって行われるので握り力にも影響し耳標の装着に要する握り力が大きくなる問題もある。
また、前記急速早戻し機構を設けたとしても、耳標装着作業時に雄耳標が耳の上を滑ることを防止すようとすれば、前述のように雄耳標を支えるピンの回転トルクを大きくしなければならず、実質的に動物、特に生後間もない動物の耳裂けを防止できない問題があった。【０００７】  そこで本発明は、動物の逃避行動に逆らわずに雄耳標が移動できるようにするために雄耳標移動に要する力を小さくして柔らかい耳へ対応する技術と、耳の表面が硬い動物でも雄耳標の先端が滑らない技術の相反する両方の問題を同時に解決した動物用耳標装着器を提供することを目的とする。
【課題を解決するための手段】
【０００８】  上記目的を達成するために本発明の第一の課題解決手段は、雄耳標とこの雄耳標を嵌め込む雌耳標とで一対とした動物用耳標の装着器のうち、前記雄耳標を取り付ける雄耳標セット部を有する雄耳標取付部と前記雌耳標を取り付ける雌耳標セット部を有する雌耳標取付部を備え、前記雄耳標取付部と前記雌耳標取付部とが離れる方向に付勢された力に抗して近づくことにより前記動物用耳標を被耳標装着動物の耳に装着する動物用耳標装着器であって、前記雄耳標セット部を前記被耳標装着動物の逃避方向に移動可能にするとともに、前記雄耳標を前記被耳標装着動物の耳を貫通させて前記雌耳標に嵌め込むための力が作用した時に前記雄耳標セット部が前記被耳標装着動物の逃避方向に移動不可となるようにロックする構成にした動物用耳標装着器を提供する。【０００９】  本発明の第二の課題解決手段は前記第一の課題解決手段に加えて、前記雄耳標セット部を、前記被耳標装着動物の逃避方向に回動自在にした取付基部と該取付基部に固定する雄耳標支えピンとで基本構成し、前記取付基部を、前記雄耳標を前記被耳標装着動物の耳を貫通させて前記雌耳標に嵌め込む方向と反対方向に常時付勢させ、加えて、前記取付基部を前記雄耳標支えピンの軸方向へスライド可能にする一方、前記取付基部の前記回動を規制できる位置の該取付基部に前記回動規制用の係止部の一部を設け、更に、該係止部と対向する前記雄耳標取付部に前記係止部の残部を設けた動物用耳標装着器を提供する。【００１０】  本発明の第三の課題解決手段は前記第一の課題解決手段に加えて、前記雄耳標セット部を、前記雄耳標を前記被耳標装着動物の耳を貫通させて前記雌耳標に嵌め込むための力が作用した時にはロック状態で回動せず、それ以外の時には前記被耳標装着動物の逃避方向にスライド後回動できるようにした取付基部と，前記取付基部に固定する雄耳標支えピンとで基本構成した動物用耳標装着器を提供する。【００１１】  本発明の第四の課題解決手段は前記第二の課題解決手段に加え、前記回動規制用の係止部を、前記取付基部の回動中心から偏芯させた前記雄耳標取付部にストッパを設けこのストッパと前記被耳標装着動物の逃避方向で係脱するフック部を前記ストッパと対向する位置の前記取付基部に設ける構成にした動物用耳標装着器を提供する。【００１２】  本発明の第五の課題解決手段は前記第三の課題解決手段に加え、前記取付基部の回転中心位置に軸を固着し、前記軸の端部にこの軸の外周面の一部をこの軸外周面から突出しないように平滑化した回転規制部を形成する一方、前記雄耳標セット部を配置する位置の前記雄耳標取付部に前記軸の前記回転規制部を懸架する回転規制受部を、前記被耳標装着動物の逃避方向に長穴状にして形成するとともに、前記回転規制受部の前記被耳標装着動物の逃避方向端付近の形状を前記軸が回転できる形状とし、その他の前記回転規制受部の形状を前記回転規制部の最小寸法が嵌合する程度の形状にして前記軸が回転できないようにした動物用耳標装着器を提供する。
【発明の効果】
【００１３】  上記、第一の課題解決手段による作用効果は、雄耳標を動物の耳を貫通させて前記雌耳標に嵌め込むための力が作用した時に前記雄耳標セット部が前記被耳標装着動物の逃避方向に移動不可となるようにロックする構成にした。この構成の雌耳標に嵌め込むための力が作用した時とは、換言すれば、耳標を被耳標装着動物の耳に装着する時の耳標装着器の装着するに必要な力が加わった時であるから、雄耳標の先端が被耳標装着動物の耳の表面に触れた瞬間から雄耳標が被耳標装着動物の耳を貫通して雌耳標に係合しこの係合が完了するまでである。
もしこの間に被耳標装着動物が逃避行動を起こせば耳標装着作業者の心理的影響により当該作業者の手は一瞬緩み、耳標装着器は雄耳標取付部と雌耳標取付部とが離れる方向の付勢力により、耳標装着方向と反対方向に戻ろうとして、前記雄耳標セット部が移動ができないロック状態から一転して前記雄耳標セット部を移動できる状態にすることができることを意味している。これにより、雄耳標セット部を被装着動物の逃避方向へ逃がすことができる。
したがって、雄耳標セット部を従来のようにすべり防止の観点から被耳標装着動物の動きに強く抗するための構成にしなくても正常な耳標装着を実現できる。
その結果、この発明では、生後間もない被耳標装着動物の耳でも、耳が裂けたり雄耳標が貫通する耳穴の広がりを防止しながら、硬い耳の場合でも耳の表面で雄耳標が滑ることなく正常な耳標の装着を行うことの両方を同時に達成でき、装着後の耳標脱落防止に繋がる効果を奏することができる。【００１４】  第二の課題解決手段による作用効果は、前記雄耳標セット部を、前記被耳標装着動物の逃避方向に回動自在にした取付基部と該取付基部に固定する雄耳標支えピンとで基本構成し、前記取付基部を、前記雄耳標を前記被耳標装着動物の耳を貫通させて前記雌耳標に嵌め込む方向と反対方向に常時付勢させ、加えて、前記取付基部を前記雄耳標支えピンの軸方向へスライド可能にする一方、前記取付基部の前記回動を規制できる位置の該取付基部に前記回動規制用の係止部の一部を設け、更に、該係止部と対向する前記雄耳標取付部に前記係止部の残部を設けた。
すなわち、雄耳標を雌耳標に嵌め込むための力が作用した時、換言すれば、雄耳標の先端が被耳標装着動物の耳を突き破ろうとする力が作用した時に、この力とそれに伴って生じる反力とにより、取付基部に設けた回動規制用の係止部の一部と、雄耳標取付部に設けた係止部の残部とによる係止作用によって取付基部がその瞬間は回動が規制され身動きできない状態になるので係止状態が成立する。そして、被耳標装着動物が逃避行動を起こすと耳標装着作業者の心理的影響により当該作業者の手は一瞬緩むことで、取付基部が身動きできない状態から瞬時に解放されることになる。すなわちこの作用は、前述したように作業者の手が一瞬緩むことにより雄耳標取付部が雌耳標取付部から離れる方向へ戻るので、耳を突き破るのに必要な力や、雄耳標が雌耳標に嵌るために必要な力が取り除かれ、取付基部に設けた回動規制用の係止部の一部と雄耳標取付部に設けた係止部の残部との係合力が雌耳標に嵌め込む方向と反対方向の僅かな付勢力（僅かな回動規制力）のみにすることができること、あるいは、動物の逃避行動がこの動物の耳を破っている最中や雄耳標が雌耳標に係止してしまった後に起こると雄耳標取付部の戻り力により耳に挿し込まれた雄耳標が耳から抜けようとする抵抗力が雄耳標を介して取付基部に作用し、この取付基部がスライドして係止状態が解除されることを意味しているので、被耳標装着動物の逃避行動に伴って、取付基部は前記僅かな付勢力（僅かな回動規制力）に抗して係止状態が解除され取付基部は前記逃避方向へ回動（移動）する。
したがって、雄耳標の被耳標装着動物逃避方向への回動力を極めて弱く設定しても、被耳標装着動物への耳標の装着時には、耳の表面の硬度にかかわらず雄耳標が耳の表面で滑ることなく確実な耳標装着作業を行うことができる効果と、万一被耳標装着動物が逃避行動を起こしても、ほぼ時間差なく雄耳標支えピンを逃がすことができる。その結果、耳が裂けたり雄耳標が貫通する耳穴の広がりを防止するという効果の両方を同時に達成でき、装着後の耳標脱落防止に繋がる第一の課題解決手段による作用効果をさらに構造簡単にして省スペースで実現できる効果がある。【００１５】  第三の課題解決手段による作用効果について説明する。
雄耳標セット部を、雄耳標を被耳標装着動物の耳を貫通させて雌耳標に嵌め込むための力が作用した時にはロック状態で回動せず、それ以外の時には前記被耳標装着動物の逃避方向にスライド後回動できるようにした取付基部と，この取付基部に固定する雄耳標支えピンとで基本構成した。
したがって、雄耳標を雌耳標に嵌め込むための力が作用した時には、この力は、雄耳標取付部，雄耳標セット部を介して雄耳標に伝達されるので、移動可能になっていた雄耳標セット部は、前記力の摩擦力等の影響でスライドできない状態、所謂移動不可の状態になる。
そして、通常は、雄耳標の先端が被耳標装着動物の耳の表面に触れた瞬間から雄耳標が被耳標装着動物の耳を貫通して雌耳標に係合しこの係合が完了するまでは移動不可の状態が耳標の係合完了まで続く。
しかし、被耳標装着動物が上記工程の途中又は耳標の係合完了直後に逃避行動を起こした場合は、耳標装着作業者の心理的影響により当該作業者の手は緩むので、前述した摩擦力等の影響でスライドできない状態から、一転してスライドできる状態になるので、被耳標装着動物の逃避行動に伴って発生する逃避行動力により、雄耳標セット部は回動できる位置までスライドして取付基部は回動する。これにより、雄耳標支えピンを非装着動物の逃避方向へ逃がすことができる結果、被耳標装着動物の耳が裂けたり雄耳標が貫通する耳穴の広がりを防止するという効果の両方を同時に達成でき、装着後の耳標脱落防止に繋がる第一の課題解決手段による作用効果をさらに構造簡単にして省スペースで実現できる効果がある。【００１６】  第四の課題解決手段による作用効果は、回動規制用の係止部を、取付基部の回動中心から偏芯させた雄耳標取付部にストッパを設けこのストッパと被耳標装着動物の逃避方向で係脱するフック部を前記ストッパと対向する位置の取付基部に設ける構成にした。
したがって、ストッパに係止するフック部は、装着に要する力が加わった時にこの装着に要する力とその反力により、前記取付基部とフック部の、前記力の作用方向及び反作用方向への動作が規制され、前記力を超えない限り動けない状態になる。前記取付基部とフック部の動きを規制する力はフック部がストッパを乗り越えてこのストッパから外れようとする力を上回るので、その力によりフック部とストッパは係止状態になって確実な装着ができる。
一方、被耳標装着動物が逃避行動を起こした場合、作業者の手が前述した理由で一瞬緩むことから装着に要する力及びその反力が消滅すると同時に、取付基部とフック部には雄耳標取付部が雌耳標取付部から離れる方向へ戻ろうとする付勢力が働くが、耳から雄耳標が抜けようとする抵抗力により取付基部は雄耳標取付部と同時には戻らず、取付基部のスライド効果により雄耳標取付部のみが雌耳標取付部から離れる方向へ少し戻り、これにより雄耳標取付部に対して取付基部の位置が変化する。
換言すれば、取付基部のフック部と雄耳標取付部のストッパの関係はフック部がストッパから外れやすい状態になり係止解除状態になるので、逃避行動を起こしている被耳標装着動物の力によりストッパからフック部がこのストッパを乗り越えて外れ、取付基部に固定されている雄耳標支えピンに嵌め込んだ雄耳標は回動して雄耳標支えピンから抜ける。
したがって、雄耳標の被耳標装着動物逃避方向への回動力を極めて弱くしても、被耳標装着動物への耳標の装着時には、耳の表面の硬度にかかわらず雄耳標が耳の表面で滑ることなく確実な耳標装着作業を行うことができる効果と、万一被耳標装着動物が逃避行動を起こしても、耳が裂けたり雄耳標が貫通する耳穴の広がりを防止するという効果の両方を同時に達成でき、装着後の耳標脱落防止に繋がる第二の課題解決手段による作用効果をさらに構造簡単にして少スペースで実現できる効果がある。【００１７】第五の課題解決手段による作用効果は、取付基部の回転中心位置に軸を固着し、固着した前記軸の端部にこの軸の外周面の一部を平滑化した回転規制部を形成する一方、雄耳標セット部を配置する位置の雄耳標取付部に軸の回転規制部を懸架する回転規制受部を、被耳標装着動物の逃避方向に長穴状にして形成するとともに、回転規制受部の被耳標装着動物の逃避方向端付近の形状を軸が回転できる形状とし、その他の回転規制受部の形状を回転規制部の最小寸法が嵌合する程度の形状にして前記軸が回転できないようにした。
この構成は、前述した第三の課題解決手段の構成をより具体化したものである。
すなわち、雄耳標を雌耳標に嵌め込むための力が作用した時には、この力は、雄耳標取付部，雄耳標セット部の取付基部に固着した軸を介して雄耳標に伝達されるので、移動可能になっていた雄耳標セット部の取付基部の軸の平滑化した回転規制部と、雄耳標取付部の回転規制受け部との間に働く摩擦力の影響でスライドできない状態、所謂移動不可の状態になる。
そして、通常は、雄耳標の先端が被耳標装着動物の耳の表面に触れた瞬間から雄耳標が被耳標装着動物の耳を貫通して雌耳標に係合しこの係合が完了するまでは移動不可の状態が耳標の係合完了まで続く。
しかし、被耳標装着動物が上記工程の途中又は耳標の係合完了直後に逃避行動を起こした場合は、耳標装着作業者の心理的影響により当該作業者の手は緩むので、前述した摩擦力等の影響でスライドできない状態から、一転して前記摩擦力が小さくなってスライドできる状態になるので、被耳標装着動物の逃避行動に伴って発生する被耳標装着動物の力により、回転規制受部の被耳標装着動物の逃避方向端付近まで雄耳標セット部の取付基部が移動して回動できるようになり取付基部は回動する。これにより、雄耳標支えピンを被装着動物の逃避方向へ逃がすことができる結果、被耳標装着動物の耳が裂けたり雄耳標が貫通する耳穴の広がりを防止するという効果の両方を同時に達成でき、装着後の耳標脱落防止に繋がる第三の課題解決手段による作用効果をさらに部品点数の少ない構成で省スペース化が実現できる効果がある。【００１８】  このように、本発明では、動物の逃避行動に逆らわずに雄耳標が移動できるようにするために雄耳標移動に要する力を小さくして柔らかい耳へ対応する技術と、耳の表面が硬い動物でも雄耳標の先端が滑らない技術の相反する両方の問題を同時に解決した耳標装着器を提供するという初期の目的を達成できる他、各態様により上述したそれぞれの作用効果を奏する。
【図面の簡単な説明】
【００１９】
【図１】は、本発明の一実施例を示す、動物用耳標装着器の長手方向中央から断面（一部部品は断面無）した正面視の全体断面図。
【図２】は、本発明要部の作用説明を兼ねた正面視の拡大断面図。
【図３】は、「図２」の左側面視の軸中心の拡大断面図。
【図４】は、本発明要部の作用説明用正面視の拡大断面図。
【図５】は、本発明要部の作用説明用正面視の拡大断面図。
【図６】は、本発明の他の実施例を示す要部の作用説明用正面視の拡大断面図。
【図７】は、「図６」の作用説明用正面視の拡大断面図。
【図８】は、「図６」の作用説明用正面視の拡大断面図。
【図９】は、本発明のさらに他の実施例を示す要部の作用説明用拡大正面図。
【図１０】は、「図９」の要部の作用説明用正面視の拡大断面図。
【図１１】は、「図９」の左側面視の軸中心の拡大断面図。
【図１２】は、「図９」の要部の作用説明用正面視の拡大断面図。
【図１３】は、動物用耳標の一例を示す一部断面した説明用の斜視図。
【発明を実施するための形態】
【実施例１】
【００２０】  先ず、本発明の動物用耳標装着器で動物に装着する動物用耳標の一例について述べる。
図１３において、雄耳標１とこの雄耳標１を嵌め込む雌耳標２とで一対とした動物用耳標ＥＴのうち、雄耳標１は、札部１ａとこの札部１ａの一部から延設した軸部１ｂとこの軸部１ｂ先端側に設けた矢尻部１ｃと軸部１ｂの中央付近に穿設したピン挿込穴１ｄとから成る。ピン挿込穴１ｄは、後述する動物用耳標ＥＴの装着器Ｔの雄耳標支えピン３１ｄを挿し込む有底孔である。【００２１】  また、雌耳標２は、札部２ａと、この札部２ａの一部に設け抜け止め部２ｃを備えた嵌め込み穴２ｂと、矢尻収納部２ｄとを有する。【００２２】  上記動物用耳標ＥＴは、図１３に示すような札型のものや、図示しないが丸型のもの等装着動物により使い分けしているが、殆どが耳標製作メーカの推奨する耳標装着器が使用できるようになっている。
そして、動物用耳標ＥＴは、耳標製作メーカにより寸法や形状が異なるものの、基本構成は上述した通りであって、材質もその多くは、ポリウレタン樹脂を主体とした樹脂製であることを付記しておく。【００２３】  次に本発明の動物用耳標装着器について述べる。
図１〜図５において、動物用耳標装着器Ｔは、前記雄耳標１と前記雌耳標２のうちいずれか一方の耳標を装着する耳標取付部１０とこの耳標取付部１０後方に位置する握り部分１２ａを有する固定ハンドル部１２とを一体的に形成した基本ケース１３を設けている。
なお、耳標取付部１０は、この実施例では雌耳標２を装着するようにしている（以下耳標取付部１０を雌耳標取付部１０と称す）。【００２４】  雌耳標取付部１０の先端側には、雌耳標セット部１１が配置されている。この雌耳標セット部１１には雌耳標２を挟み込むための耳標押え板１４を配備している。この耳標押え板１４は、雌耳標取付部１０に揺動支点１４ｃを持ち、雌耳標取付部１０先端側に位置する平面視Ｕ字形の耳標押え部１４ａと、揺動支点１４ｃの後方に位置する押え解除片１４ｂと、この押え解除片を下方から付勢するスプリング１４ｄとから形成している。
すなわち、雌耳標２は、スプリング１４ｄの付勢力により耳標押え部１４ａと雌耳標取付部１０先端部との間に挟まれるので、装着器Ｔの先端が下向きになっても雌耳標２がその自重等で位置ずれしない程度のスプリング１４ｄの付勢力とするのが望ましい。【００２５】  この実施例においては、耳標押え部１４ａ裏側に対面する位置の雌耳標取付部１０の先端部に、雌耳標セット部１１の一部である雌耳標２の受け部２ｅを納めるＵ字形の段溝１１ａを備えている。この段溝１１ａは、耳標製作メーカにより動物用耳標の形状寸法が異なるので、図１３に示す受け部２ｅがある雌耳標２については、受け部２ｅを段溝１１ａ内に収まるように段溝１１ａの寸法を定めればよく、受け部２ｅがない雌耳標については、段溝１１ａの上面１１ｂで受けるようにすればよい。
また、図１３に示す矢尻収納部２ｄの外周部分はボス２ｆが形成されており、このボス２ｆに相当するものは他の各耳標も備えており、したがって、図１３に示すものも含めてすべての雌耳標は矢尻収納部２ｄの外周形状がボス２ｆとして突出していることから、雌耳標取付部１０の先端部の段溝１１ａ下部の雌耳標取付部１０にはボス収納部１１ｃを設けていて、段溝１１ａとボス収納部１１ｃの存在により、現在流通している多くの動物用耳標の雌耳標を耳標押え板１４で雌耳標取付部１０に押え込むことができるようにしている。
なお、ボス部２ｆの下面に対向する雌耳標取付部１０には、ボス部２ｆの下面に当接するように雌耳標取付部１０に螺合した受け皿１１ｄを設けている。この受け皿１１ｄは前述したように動物用耳標ＥＴがポリウレタンで形成されていることから解るように柔らかいため、雄耳標１を雌耳標２に装着する際発生する装着力を受ける役目を果たし雌耳標２のたわみ等の変形等を防止して雄耳標１と雌耳標２の確実な装着ができるようにしている。
また、受け皿１１ｄを雌耳標取付部１０に螺合している理由は、各耳標メーカによりボス２ｆの突出長さが異なるため、受け皿１１ｄを調整できるようにするためである。【００２６】  一方、図１に示すように、雌耳標取付部１０と前記固定ハンドル部１２の中間位置の前記基本ケース１３には、主枢支点となる主枢支点ピン１５を配備している。そしてこの主枢支点ピン１５を枢支点とし雌耳標取付部１０と間隔を設けて対向する雄耳標１を装着する雄耳標取付部２１を備えている。主枢支点ピン１５の配設位置は、図１において、雄耳標取付部２１が主枢支点ピン１５を中心として反時計回りに回動した時にこの雄耳標取付部２１が雌耳標取付部１０と対向するように定めている。【００２７】  次に、可動ハンドル部４１側について述べれば、基本ケース１３上の雄耳標取付部２１の主枢支点ピン１５を共用して、握り部分４１ａを有する可動ハンドル部４１を固定ハンドル部１２に間隔を設けて対向するように配置している。
そして、可動ハンドル部４１と雄耳標取付部２１は、動力伝達機構６１を備えた変形トグル機構５１を介して連結している。これを詳述すると次のようになる。
変形トグル機構５１は、基本ケース１３の主枢支点ピン１５中心を境として固定ハンドル部１２と反対側に偏芯させた位置の前記基本ケース１３上に一端側を第一リンク枢支ピン５１ａにより枢支した第一リンク５１ｂと、この第一リンク５１ｂの他端側の第二リンク枢支ピン５１ｃを枢支位置とした前記第一リンク５１ｂよりも短尺で雄耳標取付部２１とを連結ピン５１ｄにより連結する第二リンク５１ｅとで構成している。
加えて、第一リンク５１ｂと第二リンク５１ｅとを、雄耳標１と雌耳標２を嵌め込む際、ほぼ最大の嵌め込み力を必要とする雄耳標取付部２１の回動位置で最大近くの作用力を得られる姿勢になるように配置する。
変形トグル機構５１の上記配置により、可動ハンドル部４１と固定ハンドル部１２とを握った時の握り力は、雄耳標１を雌耳標２に装着する時に発生する装着力をはるかに下回る握り力にすることができるので力のない女性でも楽に扱える。【００２８】  続いて、本発明の要部である雄耳標セット部３１について図２，図３を中心に説明する。
雄耳標取付部２１の先端側には、雄耳標１のピン挿入穴１ｄ（図２，図１３）に挿し込む雄耳標支えピン３１ｄを雌耳標２の嵌め込み穴２ｂに向かう姿勢で配設している。この雄耳標支えピン３１ｄは、雄耳標取付部２１の先端側に配設した軸２１ａを中心に回動するようにした取付基部３１ｃの下面に螺合されている。【００２９】  取付基部３１ｃは、雄耳標支えピン３１ｄを螺合している部分を除く図２で言う上部が側面視フォーク状に形成されていて空洞化している（図３参照）。
この空洞部には、ねじりコイルばね３１ｂを軸２１ａ周りに遊嵌していて、このねじりコイルばね３１ｂの固定端側はストッパ２１ｂの上面に、またねじりコイルばね３１ｂの可動端側は取付基部３１ｃに固定した基部固定ピン３１ａの正面視右側（図２参照）に位置させて、矢印ＸＹ方向の付勢力を取付基部３１ｃに付与している。
この付勢力ＸＹは、分力Ｘと分力Ｙを発生させるので、取付基部３１ｃには常に雄耳標１を被耳標装着動物の耳Ｅを貫通させて雌耳標２に嵌め込むための力Ｆ（以下装着に要する力と称す）と反対方向の力Ｙが付与されるとともに、図２で言う軸２１ａを中心とした反時計回りの回転力Ｘが付与されることになる。
なお、上記ストッパ２１ｂは、軸２１ａから偏芯した雄耳標取付部２１に固定されていて軸２１ａを中心とした反時計回りの回転力Ｘを受けている取付基部３１ｃの位置決めの役目も果たしている。【００３０】  一方、取付基部３１ｃのストッパ２１ｂと対向する位置に取付基部３１ｃから延設したフック部３１ｅがストッパ２１ｂの下半分程度を抱えるように配設されていて、このフック部３１ｅは、図２の矢印Ｂ方向に取付基部が３１ｃが回動した場合にストッパ２１ｂから外れる方向（図２で言うとストッパ２１ｂの下面側）に配備している。
また、取付基部３１ｃの軸２１ａの嵌め込み態様は、装着に要する力Ｆの方向（雄耳標支えピン３１ｄの軸方向）にスライドできるように長穴３１ｆを設けていて、通常は、取付基部３１ｃに付勢力Ｙが作用するので軸２１ａの下面（スライド範囲の装着力方向限）と接触している。【００３１】  このように構成した雄耳標セット部３１を中心とした作用効果について説明する。
先ず、図２に示すように、雌耳標取付部１０の雌耳標セット部１１の一部である雌耳標押え板１４の押え解除片１４ｂをスプリング１４ｄに抗して押し、雌耳標押え片１４と雌耳標取付部１０の上面１１ｂとの間に、雌耳標２を図２のように挟む。【００３２】  次に、雄耳標セット部３１の雄耳標支えピン３１ｄに雄耳標１のピン挿入穴１ｄを挿し込む。この際、雄耳標支えピン３１ｄの少なくとも一部にピン挿入穴１ｄよりもわずかに太いテーパ部を形成しておけば、多少穴寸法が異なる他の雄耳標でもセット可能となる。【００３３】  この状態で、動物用耳標ＥＴを含む動物用耳標装着器Ｔを図示しない消毒液に十分漬けた後に、被耳標装着動物の耳Ｅを雄耳標１と雌耳標２の間に置く。
そして、可動ハンドル部４１と固定ハンドル部１２を握ると、変形トグル機構５１を介して雄耳標取付部２１は矢印Ａ方向へ移動し雄耳標取付部２１と雌耳標取付部１０は接近して図２に示すように雄耳標１の矢尻部１ｃが耳Ｅの表面に到達し、雄耳標１の矢尻部１ｃが耳Ｅを押し込む
この時の押し込み力Ｆは、軸２１ａから長穴３１ｆの下面（スライド方向の装着力方向限），雄耳標支えピン３１ｄを介して矢尻部１ｃに伝達されるが、同時にその反力Ｆ１が雄耳標支えピン３１ｄを介してフック部３１ｅにも作用する。
この反力Ｆ１により、長穴３１ｆは、そのスライド範囲の装着力方向限で軸２１ａの下面と圧接状態になるため、ストッパ２１ｂを下方から抱きかかえるようにしていたフック部３１ｅはストッパ２１ｂを乗り越えられない状態となりフック部３１ｅとストッパ２１ｂとの係止関係が成立する。すなわち、耳Ｅの表面が硬くても矢尻部１ｃは滑ることなく耳Ｅを穿孔して雌耳標２の嵌め込み穴２ｂに係合する。
この作業中に、被耳標装着動物は激しく動くがこの動きによって図２の矢印Ｃ−Ｄ方向の負荷が加わっても矢印Ｃ，Ｄ方向共に、ストッパ２１ｂとフック部３１ｅとの係止作用によって取付基部３１ｃの動きが規制されるので雄耳標１は耳Ｅを貫通して正確に雌耳標２の嵌め込み穴２ｂに至る。
一方、被耳標装着動物が逃避行動を起こせば、作業者は、一瞬、動物用耳標装着器Ｔの握りを緩めるか、手を離そうとする心理が働く。この作用により図４に示すように、雄耳標取付部２１は雌耳標取付部１０から離反する付勢力により矢印Ａ１方向へ戻ろうとするので、押し込み力Ｆとその反力Ｆ１は解消されると同時に、耳Ｅから雄耳標１が抜けようとする抵抗力により取付基部３１ｃは雄耳標取付部２１と同時には戻らず、取付基部３１ｃの長穴３１ｆのスライド効果により雄耳標取付部２１のみが雌耳標取付部１０から離れる方向へ少し戻り、これにより雄耳標取付部２１に対して取付基部３１ｃの位置が変化する（図４）。
換言すれば、取付基部３１ｃのフック部３１ｅと雄耳標取付部２１のストッパ２１ｂとの関係はフック部３１ｅがストッパ２１ｂから外れやすい状態になり係止解除状態になる。
一方、上記作用と並行して、被耳標装着動物の逃避行動による耳Ｅの外的負荷が雄耳標１、すなわち雄耳標支えピン３１ｄを矢印Ｂ方向へ回動しようとする力が働く。この回動力によって、ストッパ２１ｂを抱きかかえるように係止していたフック部３１ｅが位置移動したことでフック部３１ｅはストッパ２１ｂから離間して簡単に外れることになる。
換言すれば、被耳標装着動物が逃避行動を起こせば、雄耳標セット部３１が移動不可状態から一転して移動可能状態に変化することになる。
したがって、取付基部３１ｃを付勢するねじりコイルばね３１ｂを、耳Ｅの柔らかい被耳標装着動物が耳切れや雄耳標１による穿孔した穴の拡大を起こさない程度のばね力にしても確実で正確な耳標装着が可能となる。
なお、ねじりコイルばね３１ｂは、取付基部３１ｃを被耳標装着動物の逃避方向と反対方向にも常時付勢させる役目とを果たすように配置していて、上記Ｘ方向とＹ方向の両方向の付勢力を少なくとも一つのねじりコイルばね３１ｂで行うことができる。
換言すれば、異方向の付勢力を最低一つの部品で達成できるので構造を簡単にできるとともに省スペース配置が可能となる効果がある。【００３４】  ストッパ２１ｂは、取付基部３１ｃの被耳標装着動物の逃避方向と反対方向付勢力を抑える位置決めの役目を果たすようにしたので、このストッパ２１ｂもフック部３１ｅを係止する作用と、被耳標装着動物の逃避方向と反対方向付勢力を抑える位置決めの役目を果たす作用の両方を同時に達成できる効果がある。【００３５】  そして、図５に示すように、逃避行動を起こした被耳標装着動物の力によりその逃避方向に取付基部３１ｃが回動すると、雄耳標１は、雄耳標支えピン３１ｄから抜けることと並行して雌耳標２も耳標押え板１４と雌耳標取付部１０から抜けるので、被耳標装着動物の耳Ｅは、耳裂けや穿孔した穴の拡大等耳標脱落等に繋がる危険から回避される。【００３６】  このように、この実施例では、生後間もない被耳標装着動物の耳でも、耳が裂けたり雄耳標が貫通する耳穴の広がりを防止しながら、硬い耳の場合でも耳の表面で雄耳標が滑ることなく正常な耳標の装着を行うことの両方を同時に達成でき、装着後の耳標脱落防止に繋がる作用効果を少ない部品で構造簡単にできしかも省スペースで実現できる。
言い換えれば、動物の逃避行動に逆らわずに雄耳標が移動できるようにするための雄耳標移動に要する力を小さくして柔らかい耳へ対応する技術と、耳の表面が硬い動物でも雄耳標の先端が滑らない技術の相反する両方の問題を同時に解決した耳標装着器を提供するという初期の目的を達成できる。
【実施例２】
【００３７】  次に図６〜図８により、「実施例２」について説明する。
この実施例は、前述した「実施例１」のフック部３１ｅとストッパ２１ｂとの係止位置を、取付基部３１ｇが回動できる「実施例１」以外の位置にしただけの一例を示し、他の構成は「実施例１」と同じにつき、ここでは、係止位置が異なるフック部３１ｈとストッパ２１ｇの構成についてのみ説明し、他の構成の説明は、「実施例１」を援用し、作用効果は「実施例１」の段落「００３３」〜段落「００３６」を援用することにし、段落「００３３」，段落「００３５」，段落「００３６」に記載の「フック部３１ｅ」を「フック部３１ｈ」に，「ストッパ２１ｂ」を「ストッパ２１ｇ」に，「取付基部３１ｃ」を「取付基部３１ｇ」に，「図２」を「図６」に，「図４」を「図７」に，「図５」を「図８」にそれぞれ読み替えるものとする。【００３８】  図６〜図８において、軸２１ａの上方、好ましくは軸２１ａの軸芯を通る延長線上の取付基部３１ｇに、フック部３１ｈを設け、このフック部３１ｈに対向する位置の雄耳標取付部２１にストッパ２１ｇを配設している。
なお、ストッパ２１ｂは、取付基部３１ｇの位置決め用として使用する。
【実施例３】
【００３９】  続いて図９〜図１２により、「実施例３」について説明する。
ここでは、本発明の要部である雄耳標セット部３１中心の説明とし、他の説明は、実施例１と同じにつき説明は省略する。【００４０】  この実施例は、雄耳標１を被耳標装着動物の耳Ｅを貫通させて雌耳標２に嵌め込むための力が作用した時には回動せず被耳標装着動物の逃避方向にスライド後回動できるようにした取付基部３１Ｊと、この取付基部３１Ｊに固定する雄耳標支えピン３１ｎとで基本構成している。【００４１】  詳述すると、図９において、雄耳標取付部２１の先端側には、取付基部３１ｊの回転中心位置に軸３１ｋを固着している。
この軸３１ｋは取付基部３１ｊに雄耳標支えピン３１ｎを螺着した時に、この雄耳標支えピン３１ｎの後端部で軸３１ｋを押すようにしている。この押圧力は、取付基部３１ｊに懸架した軸３１ｋと取付基部３１ｊとを圧着するので軸３１ｋは取付基部３１ｊに固着される。
一方、軸３１ｋの端部には、この軸３１ｋの外周面の一部をこの軸３１ｋの外周面から突出しないように平滑化した回転規制部３１ｐを形成している。
回転規制部３１ｐは図１１に示すように、取付基部３１ｊの左右両側面の外側に出るように配置している。この取付基部３１ｊの左右両側面から突出した回転規制部３１ｐは、雄耳標取付部２１に形成した長穴状の回転規制受部３１ｑに懸架する。この回転規制受部３１ｑの長穴は、被耳標装着動物の逃避方向に沿うように設ける（図９）。
そして、回転規制受部３１ｑの被耳標装着動物の逃避方向端付近の形状を前記軸３１ｋが回転できる形状とし、その他の回転規制受部３１ｑの形状は前記回転規制部３１ｐの最小寸法が嵌合する程度の形状にして軸３１ｋが回転できないようにしている。
なお、通常は、ねじりコイルばね３１ｂの付勢力により雄耳標セット部３１は図９，図１０に示す位置にあって、雄耳標１を雌耳標２に装着できる位置にある。【００４２】    雄耳標１を雌耳標２に嵌め込むための力が作用した時には、この力は、雄耳標取付部２１，雄耳標セット部３１の取付基部３１ｊに固着した軸３１ｋを介して雄耳標１に伝達されるので、移動可能になっていた雄耳標セット部３１の取付基部３１ｊの軸３１ｋの平滑化した回転規制部３１ｐと、雄耳標取付部２１の回転規制受け部３１ｑとの間に働く摩擦力の影響でスライドできない状態、所謂移動不可の状態になる。
そして、通常は、雄耳標１の先端が被耳標装着動物の耳Ｅの表面に触れた瞬間から雄耳標１が被耳標装着動物の耳Ｅを貫通して雌耳標１に係合しこの係合が完了するまでは移動不可の状態が耳標ＥＴの係合完了まで続く。
しかし、被耳標装着動物が上記工程の途中又は耳標の係合完了直後に逃避行動を起こした場合は、耳標ＥＴの装着作業者の心理的影響により当該作業者の手は緩むので、前述した摩擦力等の影響でスライドできない状態から、一転して前記摩擦力が小さくなってスライドできる状態になるので、被耳標装着動物の逃避行動に伴って発生する被耳標装着動物の力により、回転規制受部３１ｑの被耳標装着動物の逃避方向端付近まで雄耳標セット部３１の取付基部３１ｊが移動して回動できるようになり取付基部３１ｊは回動する。これにより、雄耳標支えピン３１ｎを被装着動物の逃避方向へ逃がすことができる結果、被耳標装着動物の耳Ｅが裂けたり雄耳標１が貫通する耳穴の広がりを防止するという効果の両方を同時に達成でき、装着後の耳標ＥＴの脱落防止に繋がる作用効果を部品点数の少ない構成で、しかも省スペース化が実現できる効果がある。【００４３】  上述したように、本発明では、動物の逃避行動に逆らわずに雄耳標が移動できるようにするために雄耳標移動に要する力を小さくして柔らかい耳へ対応する技術と、耳の表面が硬い動物でも雄耳標の先端が滑らない技術の相反する両方の問題を同時に解決した耳標装着器を提供するという初期の目的を達成できる。
【産業上の利用可能性】
【００４４】  以上のように、本発明では、例えば牛の個体識別耳標を使用して全国の牛の個体を管理しているが、従来では達成できなかった生後間もない子牛の柔らかい耳でも、また耳の硬い成牛でも確実な耳標装着ができること、及び耳穴の広がりや耳裂け等が起こらない耳標装着器を提供できる結果、耳穴の広がりや耳裂けに起因する耳標脱落を防止できるということは、牛の個体管理を精度よく行える他、他の動物の耳標による管理の精度向上も期待できる等、産業上の利用可能性は極めて大きいものがある。
【符号の説明】
【００４５】  １……………………………雄耳標
２……………………………雌耳標
１０…………………………雌耳標取付部
１１…………………………雌耳標セット部
１４…………………………耳標押え板（雌耳標セット部の一部）
２１…………………………雄耳標取付部
２１ｂ，２１ｇ……………ストッパ（２１ｂは係止部の残部例）
３１…………………………雄耳標セット部
３１ｃ，３１ｇ，３１ｊ…取付基部
３１ｄ，３１ｎ……………雄耳標支えピン
３１ｅ，３１ｈ……………フック部（係止部の一部の例）
３１ｆ………………………長穴（スライド可能な構成例）
３１ｋ………………………軸
３１ｐ………………………回転規制部
３１ｑ………………………回転規制受部
Ｅ  …………………………被耳標装着動物の耳
ＥＴ…………………………動物用耳標
Ｔ  …………………………動物用耳標装着器
【図１】
2020078286.tif 000003
【図２】
2020078286.tif 000004
【図３】
2020078286.tif 000005
【図４】
2020078286.tif 000006
【図５】
2020078286.tif 000007
【図６】
2020078286.tif 000008
【図７】
2020078286.tif 000009
【図８】
2020078286.tif 000010
【図９】
2020078286.tif 000011
【図１０】
2020078286.tif 000012
【図１１】
2020078286.tif 000013
【図１２】
2020078286.tif 000014
【図１３】
2020078286.tif 000015